(57)【要約】【課題】現金を使わずに容易にスマートカードにチャージを行うことが可能なシステムを提供できるようにする。【解決手段】モバイル端末２００は、チャージ金額の指定を受け付け、指定されたチャージ金額を示すコード要求データを送信する。チャージ管理システム３００は、コード要求データを受信し、チャージ金額とチャージ元口座識別子とを表すチャージ実行コード１０１を生成し、チャージ実行コード１０１を含んだコード応答データを送信する。モバイル端末２００は、コード応答データを受信し、チャージ実行コード１０１を表示する。チャージ端末４００は、チャージ実行コード１０１を読み込み、チャージ元口座からチャージ金額を引き落とし、スマートカード１０２にチャージ金額をチャージし、スマートカード１０２を送出する。【選択図】図１
2020047124.tif 000002
【特許請求の範囲】
【請求項１】
スマートカードにチャージされるチャージ金額の指定を受け付ける金額受付部と、
指定されたチャージ金額と、指定されたチャージ金額が引き落とされるチャージ元口座を識別するチャージ元口座識別子と、を表すチャージ実行コードを取得するコード取得部と、
取得されたチャージ実行コードをディスプレイに表示する表示部と
を備えるモバイル端末。
【請求項２】
前記コード取得部は、前記チャージ金額を示すコード要求データをチャージ管理システムに送信し、前記チャージ実行コードを含んだコード応答データを前記チャージ管理システムから受信し、
前記チャージ管理システムは、前記コード要求データを受信し、前記チャージ実行コードを生成し、前記コード応答データを送信する
請求項１に記載のモバイル端末。
【請求項３】
前記コード要求データは、前記チャージ元口座に前記チャージ金額を移動するための振替元口座を特定する振替元特定情報を含み、
前記チャージ管理システムは、前記コード要求データに基づいて、前記チャージ金額を前記振替元口座から前記チャージ元口座に移動する
請求項２に記載のモバイル端末。
【請求項４】
スマートカードにチャージされるチャージ金額を示すコード要求データを受信するコード要求受付部と、
受信されたコード要求データに基づいて、前記チャージ金額と、前記チャージ金額が引き落とされるチャージ元口座を識別するチャージ元口座識別子と、を表すチャージ実行コードを生成するコード生成部と、
生成されたチャージ実行コードを含んだコード応答データを送信するコード応答部と
を備えるチャージ管理システム。
【請求項５】
前記コード要求データは、前記チャージ元口座に前記チャージ金額を移動するための振替元口座を特定する振替元特定情報を含み、
前記チャージ管理システムは、
前記コード要求データに基づいて、前記チャージ金額を前記振替元口座から前記チャージ元口座に移動する振替部を備える
請求項４に記載のチャージ管理システム。
【請求項６】
チャージ金額と、前記チャージ金額が引き落とされるチャージ元口座を識別するチャージ元口座識別子と、を表すチャージ実行コードの入力を受け付けるチャージ受付部と、
入力されたチャージ実行コードに基づいて、前記チャージ元口座から前記チャージ金額を引き落とす引き落とし部と、
入力されたチャージ実行コードに基づいて、前記チャージ金額をスマートカードにチャージするチャージ部と、
前記チャージ金額がチャージされたスマートカードをカード送出口から送出する送出部と
を備えるチャージ端末。
【請求項７】
前記チャージ実行コードは、モバイル端末のディスプレイに表示される一次元コードまたは二次元コードであり、
前記チャージ端末は、コードリーダを備え、
前記チャージ受付部は、前記モバイル端末の前記ディスプレイが前記コードリーダにかざされた場合に前記コードリーダを介して前記チャージ実行コードを読み取る
請求項６に記載のチャージ端末。
【請求項８】
モバイル端末が、スマートカードにチャージされるチャージ金額の指定を受け付け、指定されたチャージ金額と、指定されたチャージ金額が引き落とされるチャージ元口座を識別するチャージ元口座識別子と、を表すチャージ実行コードを取得し、取得されたチャージ実行コードをディスプレイに表示し、
チャージ端末が、前記チャージ実行コードの入力を受け付け、前記チャージ元口座から前記チャージ金額を引き落とし、前記チャージ金額をスマートカードにチャージし、前記チャージ金額がチャージされたスマートカードをカード送出口から送出する
キャッシュレスチャージ方法。
【請求項９】
前記モバイル端末が、前記チャージ金額を示すコード要求データをチャージ管理システムに送信し、
前記チャージ管理システムが、前記コード要求データを受信し、前記チャージ実行コードを生成し、前記チャージ実行コードを含んだコード応答データを送信し、
前記モバイル端末が、前記コード応答データを受信する
請求項８に記載のキャッシュレスチャージ方法。
【請求項１０】
前記コード要求データが、前記チャージ元口座に前記チャージ金額を移動するための振替元口座を特定する振替元特定情報を含み、
前記チャージ管理システムが、前記コード要求データに基づいて、前記チャージ金額を前記振替元口座から前記チャージ元口座に移動する
請求項９に記載のキャッシュレスチャージ方法。
【請求項１１】
前記チャージ実行コードが、一次元コードまたは二次元コードであり、
前記チャージ端末が、前記モバイル端末の前記ディスプレイがコードリーダにかざされた場合に前記コードリーダを介して前記チャージ実行コードを読み取る
請求項１０に記載のキャッシュレスチャージ方法。
【請求項１２】
スマートカードにチャージされるチャージ金額の指定を受け付ける金額受付処理と、
指定されたチャージ金額と、指定されたチャージ金額が引き落とされるチャージ元口座を識別するチャージ元口座識別子と、を表すチャージ実行コードを取得するコード取得処理と、
取得されたチャージ実行コードをディスプレイに表示する表示処理と
をコンピュータに実行させるためのモバイルチャージプログラム。
【発明の詳細な説明】
【技術分野】
【０００１】
本発明は、現金を使わずにスマートカードにチャージを行うためのシステムに関するものである。
【背景技術】
【０００２】
日本と外国とにおいて、スマートフォンの規格およびカード会社のサービスに違いがある。そのため、外国人は、日本国内で提供されている各種サービスを、自国で使用しているスマートフォンおよびＩＣカードを使って、利用することができない場合がある。
【０００３】
日本国内では、交通系ＩＣカードおよび交通系ＩＣカードを利用したサービスが普及している。しかし、外国から日本に訪れた外国人旅行者は、交通系ＩＣカードを所持していないため、交通系ＩＣカードを利用したサービスを受けることができない。
外国人旅行者が交通系ＩＣカードを手に入れたとしても、外国人旅行者は交通系ＩＣカードにチャージを行う必要がある。そのため、外国人旅行者は、ＡＴＭ、両替所または両替機で外国通貨を日本通貨に両替した後に日本通貨の現金を使って交通系ＩＣカードにチャージを行う。しかし、多くの手間と時間と手数料がかかるため、外国人旅行者に不便が生じている。
【０００４】
特許文献１には、携帯電話機を使って電子マネーカードにチャージを行うことが記載されている。しかし、携帯電話機が電子マネーカードと近距離無線通信を行うことが前提となっており、利用者が限定される。
【先行技術文献】
【特許文献】
【０００５】
【特許文献１】特開２０１５−１０６２１３号公報
【発明の概要】
【発明が解決しようとする課題】
【０００６】
本発明は、現金を使わずに容易にスマートカードにチャージを行うことが可能なシステムを提供できるようにすることを目的とする。
【課題を解決するための手段】
【０００７】
本発明のモバイル端末は、
スマートカードにチャージされるチャージ金額の指定を受け付ける金額受付部と、
指定されたチャージ金額と、指定されたチャージ金額が引き落とされるチャージ元口座を識別するチャージ元口座識別子と、を表すチャージ実行コードを取得するコード取得部と、
取得されたチャージ実行コードをディスプレイに表示する表示部とを備える。
【０００８】
前記コード取得部は、前記チャージ金額を示すコード要求データをチャージ管理システムに送信し、前記チャージ実行コードを含んだコード応答データを前記チャージ管理システムから受信し、
前記チャージ管理システムは、前記コード要求データを受信し、前記チャージ実行コードを生成し、前記コード応答データを送信する。
【０００９】
前記コード要求データは、前記チャージ元口座に前記チャージ金額を移動するための振替元口座を特定する振替元特定情報を含み、
前記チャージ管理システムは、前記コード要求データに基づいて、前記チャージ金額を前記振替元口座から前記チャージ元口座に移動する。
【００１０】
本発明のチャージ管理システムは、
スマートカードにチャージされるチャージ金額を示すコード要求データを受信するコード要求受付部と、
受信されたコード要求データに基づいて、前記チャージ金額と、前記チャージ金額が引き落とされるチャージ元口座を識別するチャージ元口座識別子と、を表すチャージ実行コードを生成するコード生成部と、
生成されたチャージ実行コードを含んだコード応答データを送信するコード応答部とを備える。
【００１１】
前記コード要求データは、前記チャージ元口座に前記チャージ金額を移動するための振替元口座を特定する振替元特定情報を含み、
前記チャージ管理システムは、
前記コード要求データに基づいて、前記チャージ金額を前記振替元口座から前記チャージ元口座に移動する振替部を備える。
【００１２】
本発明のチャージ端末は、
チャージ金額と、前記チャージ金額が引き落とされるチャージ元口座を識別するチャージ元口座識別子と、を表すチャージ実行コードの入力を受け付けるチャージ受付部と、
入力されたチャージ実行コードに基づいて、前記チャージ元口座から前記チャージ金額を引き落とす引き落とし部と、
入力されたチャージ実行コードに基づいて、前記チャージ金額をスマートカードにチャージするチャージ部と、
前記チャージ金額がチャージされたスマートカードをカード送出口から送出する送出部とを備える。
【００１３】
前記チャージ実行コードは、モバイル端末のディスプレイに表示される一次元コードまたは二次元コードであり、
前記チャージ端末は、コードリーダを備え、
前記チャージ受付部は、前記モバイル端末の前記ディスプレイが前記コードリーダにかざされた場合に前記コードリーダを介して前記チャージ実行コードを読み取る。
【００１４】
本発明のキャッシュレスチャージ方法は、
モバイル端末が、スマートカードにチャージされるチャージ金額の指定を受け付け、指定されたチャージ金額と、指定されたチャージ金額が引き落とされるチャージ元口座を識別するチャージ元口座識別子と、を表すチャージ実行コードを取得し、取得されたチャージ実行コードをディスプレイに表示し、
チャージ端末が、前記チャージ実行コードの入力を受け付け、前記チャージ元口座から前記チャージ金額を引き落とし、前記チャージ金額をスマートカードにチャージし、前記チャージ金額がチャージされたスマートカードをカード送出口から送出する。
【００１５】
前記モバイル端末が、前記チャージ金額を示すコード要求データをチャージ管理システムに送信し、
前記チャージ管理システムが、前記コード要求データを受信し、前記チャージ実行コードを生成し、前記チャージ実行コードを含んだコード応答データを送信し、
前記モバイル端末が、前記コード応答データを受信する。
【００１６】
前記コード要求データが、前記チャージ元口座に前記チャージ金額を移動するための振替元口座を特定する振替元特定情報を含み、
前記チャージ管理システムが、前記コード要求データに基づいて、前記チャージ金額を前記振替元口座から前記チャージ元口座に移動する。
【００１７】
前記チャージ実行コードが、一次元コードまたは二次元コードであり、
前記チャージ端末が、前記モバイル端末の前記ディスプレイがコードリーダにかざされた場合に前記コードリーダを介して前記チャージ実行コードを読み取る。
【００１８】
本発明のモバイルチャージプログラムは、
スマートカードにチャージされるチャージ金額の指定を受け付ける金額受付処理と、
指定されたチャージ金額と、指定されたチャージ金額が引き落とされるチャージ元口座を識別するチャージ元口座識別子と、を表すチャージ実行コードを取得するコード取得処理と、
取得されたチャージ実行コードをディスプレイに表示する表示処理とをコンピュータに実行させる。
【発明の効果】
【００１９】
本発明によれば、現金を使わずに容易にスマートカードにチャージを行うことが可能なシステムを提供することができる。
【図面の簡単な説明】
【００２０】
【図１】実施の形態１におけるキャッシュレスチャージシステム１００の構成図。
【図２】実施の形態１におけるモバイル端末２００の構成図。
【図３】実施の形態１におけるチャージ管理システム３００の構成図。
【図４】実施の形態１におけるチャージ端末４００の構成図。
【図５】実施の形態１におけるキャッシュレスチャージ方法のフローチャート。
【図６】実施の形態１におけるコード取得方法（Ｓ１１０）のフローチャート。
【図７】実施の形態１におけるキャッシュレスチャージ方法の実施例を示すフローチャート。
【図８】実施の形態１におけるキャッシュレスチャージ方法の実施例を示すフローチャート。
【図９】実施の形態１におけるキャッシュレスチャージ方法の実施例を示す図。
【図１０】実施の形態１におけるキャッシュレスチャージ方法の実施例を示すフローチャート。
【発明を実施するための形態】
【００２１】
実施の形態および図面において、同じ要素または対応する要素には同じ符号を付している。説明した要素と同じ符号が付された要素の説明は適宜に省略または簡略化する。図中の矢印はデータの流れ又は処理の流れを主に示している。
【００２２】
実施の形態１．
キャッシュレスチャージシステム１００について、図１から図１０に基づいて説明する。
【００２３】
＊＊＊構成の説明＊＊＊
図１に基づいて、キャッシュレスチャージシステム１００の基本構成を説明する。
キャッシュレスチャージシステム１００は、モバイル端末２００とチャージ管理システム３００とチャージ端末４００とを備える。
【００２４】
モバイル端末２００の具体例は、スマートフォンである。
チャージ管理システム３００は、１台以上のコンピュータで構成される。
チャージ端末４００は、空港または駅などに設置される。
【００２５】
モバイル端末２００およびチャージ管理システム３００は、ネットワーク１０９を介して互いに通信を行う。
モバイル端末２００は、チャージ管理システム３００との通信を介して、チャージ実行コード１０１を得る。例えば、チャージ実行コード１０１は一次元コードまたは二次元コードである。一次元コードの具体例はバーコードである。二次元コードの具体例はＱＲコード（登録商標）である。
チャージ端末４００は、チャージ実行コード１０１の入力を受け付け、チャージ実行コード１０１で指定されたチャージ金額をスマートカード１０２にチャージし、スマートカード１０２を送出する。
スマートカード１０２は、ＩＣカードまたはチップカードともいう。例えば、スマートカード１０２は交通系ＩＣカードである。ＩＣはＩｎｔｅｇｒａｔｅｄ  Ｃｉｒｃｕｉｔの略称である。
【００２６】
図２に基づいて、モバイル端末２００の構成を説明する。
モバイル端末２００は、プロセッサ２０１とメモリ２０２と補助記憶装置２０３と通信機器２０４とディスプレイ２０５といったハードウェアを備えるコンピュータである。これらのハードウェアは、信号線を介して互いに接続されている。
【００２７】
プロセッサ２０１は、演算処理を行うＩＣ（Ｉｎｔｅｇｒａｔｅｄ  Ｃｉｒｃｕｉｔ）であり、他のハードウェアを制御する。例えば、プロセッサ２０１は、ＣＰＵ（Ｃｅｎｔｒａｌ  Ｐｒｏｃｅｓｓｉｎｇ  Ｕｎｉｔ）である。
メモリ２０２は揮発性の記憶装置である。メモリ２０２は、主記憶装置またはメインメモリとも呼ばれる。例えば、メモリ２０２はＲＡＭ（Ｒａｎｄｏｍ  Ａｃｃｅｓｓ  Ｍｅｍｏｒｙ）である。メモリ２０２に記憶されたデータは必要に応じて補助記憶装置２０３に保存される。
補助記憶装置２０３は不揮発性の記憶装置である。例えば、補助記憶装置２０３は、ＲＯＭ（Ｒｅａｄ  Ｏｎｌｙ  Ｍｅｍｏｒｙ）、ＨＤＤ（Ｈａｒｄ  Ｄｉｓｋ  Ｄｒｉｖｅ）、またはフラッシュメモリである。補助記憶装置２０３に記憶されたデータは必要に応じてメモリ２０２にロードされる。
通信機器２０４はレシーバ及びトランスミッタである。例えば、通信機器２０４は通信チップまたはＮＩＣ（Ｎｅｔｗｏｒｋ  Ｉｎｔｅｒｆａｃｅ  Ｃａｒｄ）である。
ディスプレイ２０５は表示装置である。例えば、ディスプレイ２０５は、タッチパネルである。タッチパネルは入力装置と表示装置とを兼ねる。
【００２８】
モバイル端末２００は、金額受付部２１１とコード取得部２１２とコード表示部２１３といった要素を備える。これらの要素はソフトウェアで実現される。
【００２９】
補助記憶装置２０３には、金額受付部２１１とコード取得部２１２とコード表示部２１３としてコンピュータを機能させるためのモバイルチャージプログラムが記憶されている。モバイルチャージプログラムは、メモリ２０２にロードされて、プロセッサ２０１によって実行される。
さらに、補助記憶装置２０３にはＯＳ（Ｏｐｅｒａｔｉｎｇ  Ｓｙｓｔｅｍ）が記憶されている。ＯＳの少なくとも一部は、メモリ２０２にロードされて、プロセッサ２０１によって実行される。
つまり、プロセッサ２０１は、ＯＳを実行しながら、モバイルチャージプログラムを実行する。
モバイルチャージプログラムを実行して得られるデータは、メモリ２０２、補助記憶装置２０３、プロセッサ２０１内のレジスタ、または、プロセッサ２０１内のキャッシュメモリといった記憶装置に記憶される。
【００３０】
メモリ２０２は、モバイル端末２００で使用されるデータが記憶される記憶部２９０として機能する。但し、他の記憶装置が、メモリ２０２の代わりに、又は、メモリ２０２と共に、記憶部２９０として機能してもよい。
【００３１】
モバイルチャージプログラムは、光ディスクまたはフラッシュメモリ等の不揮発性の記録媒体にコンピュータ読み取り可能に記録（格納）することができる。
【００３２】
図３に基づいて、チャージ管理システム３００が１台のコンピュータで構成される場合について、チャージ管理システム３００の構成を説明する。
チャージ管理システム３００は、プロセッサ３０１とメモリ３０２と補助記憶装置３０３と通信機器３０４といったハードウェアを備えるコンピュータである。これらのハードウェアは、信号線を介して互いに接続されている。
【００３３】
プロセッサ３０１は、演算処理を行うＩＣであり、他のハードウェアを制御する。例えば、プロセッサ３０１はＣＰＵである。
メモリ３０２は揮発性の記憶装置である。メモリ３０２は、主記憶装置またはメインメモリとも呼ばれる。例えば、メモリ３０２はＲＡＭである。メモリ３０２に記憶されたデータは必要に応じて補助記憶装置３０３に保存される。
補助記憶装置３０３は不揮発性の記憶装置である。例えば、補助記憶装置３０３は、ＲＯＭ、ＨＤＤまたはフラッシュメモリである。補助記憶装置３０３に記憶されたデータは必要に応じてメモリ３０２にロードされる。
通信機器３０４はレシーバ及びトランスミッタである。例えば、通信機器３０４は通信チップまたはＮＩＣである。
【００３４】
チャージ管理システム３００は、コード要求受付部３１１と口座開設部３１２と振替部３１３とコード生成部３１４とコード応答部３１５といった要素を備える。これらの要素はソフトウェアで実現される。
【００３５】
補助記憶装置３０３には、コード要求受付部３１１と口座開設部３１２と振替部３１３とコード生成部３１４とコード応答部３１５としてコンピュータを機能させるためのチャージ管理プログラムが記憶されている。チャージ管理プログラムは、メモリ３０２にロードされて、プロセッサ３０１によって実行される。
さらに、補助記憶装置３０３にはＯＳが記憶されている。ＯＳの少なくとも一部は、メモリ３０２にロードされて、プロセッサ３０１によって実行される。
つまり、プロセッサ３０１は、ＯＳを実行しながら、チャージ管理プログラムを実行する。
チャージ管理プログラムを実行して得られるデータは、メモリ３０２、補助記憶装置３０３、プロセッサ３０１内のレジスタ、または、プロセッサ３０１内のキャッシュメモリといった記憶装置に記憶される。
【００３６】
メモリ３０２は、チャージ管理システム３００で使用されるデータが記憶される記憶部３９０として機能する。但し、他の記憶装置が、メモリ３０２の代わりに、又は、メモリ３０２と共に、記憶部３９０として機能してもよい。
【００３７】
チャージ管理プログラムは、光ディスクまたはフラッシュメモリ等の不揮発性の記録媒体にコンピュータ読み取り可能に記録（格納）することができる。
【００３８】
チャージ管理システム３００は、複数のコンピュータで構成されてもよい。
【００３９】
図４に基づいて、チャージ端末４００の構成を説明する。
チャージ端末４００は、プロセッサ４０１とメモリ４０２と補助記憶装置４０３と通信機器４０４とディスプレイ４０５とコードリーダ４０６とカード管理システム４０７といったハードウェアを備えるコンピュータである。これらのハードウェアは、信号線を介して互いに接続されている。
【００４０】
プロセッサ４０１は、演算処理を行うＩＣであり、他のハードウェアを制御する。例えば、プロセッサ４０１はＣＰＵである。
メモリ４０２は揮発性の記憶装置である。メモリ４０２は、主記憶装置またはメインメモリとも呼ばれる。例えば、メモリ４０２はＲＡＭである。メモリ４０２に記憶されたデータは必要に応じて補助記憶装置４０３に保存される。
補助記憶装置４０３は不揮発性の記憶装置である。例えば、補助記憶装置４０３は、ＲＯＭ、ＨＤＤまたはフラッシュメモリである。補助記憶装置４０３に記憶されたデータは必要に応じてメモリ４０２にロードされる。
通信機器４０４はレシーバ及びトランスミッタである。例えば、通信機器４０４は通信チップまたはＮＩＣである。
ディスプレイ４０５は表示装置である。例えば、ディスプレイ４０５はタッチパネルである。
コードリーダ４０６は、一次元コードまたは二次元コードを読み取るための機器である。
カード管理システム４０７は、スマートカードを管理するためのシステムである。
【００４１】
チャージ端末４００は、チャージ受付部４１１と引き落とし部４１２とチャージ部４１３と送出部４１４といった要素を備える。これらの要素はソフトウェアで実現される。
【００４２】
補助記憶装置４０３には、チャージ受付部４１１と引き落とし部４１２とチャージ部４１３と送出部４１４としてコンピュータを機能させるためのチャージ実行プログラムが記憶されている。チャージ実行プログラムは、メモリ４０２にロードされて、プロセッサ４０１によって実行される。
さらに、補助記憶装置４０３にはＯＳが記憶されている。ＯＳの少なくとも一部は、メモリ４０２にロードされて、プロセッサ４０１によって実行される。
つまり、プロセッサ４０１は、ＯＳを実行しながら、チャージ実行プログラムを実行する。
チャージ実行プログラムを実行して得られるデータは、メモリ４０２、補助記憶装置４０３、プロセッサ４０１内のレジスタ、または、プロセッサ４０１内のキャッシュメモリといった記憶装置に記憶される。
【００４３】
メモリ４０２は、チャージ端末４００で使用されるデータが記憶される記憶部４９０として機能する。但し、他の記憶装置が、メモリ４０２の代わりに、又は、メモリ４０２と共に、記憶部４９０として機能してもよい。
【００４４】
チャージ実行プログラムは、光ディスクまたはフラッシュメモリ等の不揮発性の記録媒体にコンピュータ読み取り可能に記録（格納）することができる。
【００４５】
＊＊＊動作の説明＊＊＊
キャッシュレスチャージシステム１００の動作はキャッシュレスチャージ方法に相当する。また、キャッシュレスチャージ方法の手順はキャッシュレスチャージプログラムに相当する。キャッシュレスチャージプログラムは、モバイルチャージプログラムとチャージ管理プログラムとチャージ実行プログラムとを含む。
【００４６】
図５に基づいて、キャッシュレスチャージ方法を説明する。
【００４７】
ステップＳ１０１は、モバイル端末２００によって実行される。
ステップＳ１０１において、金額受付部２１１は、チャージ金額の指定を受け付ける。
チャージ金額は、スマートカード１０２にチャージされる金額である。
【００４８】
チャージ金額は以下のように受け付けられる。
まず、利用者は、モバイル端末２００を操作することによって、チャージアプリケーションを起動する。チャージアプリケーションは、モバイルチャージプログラムを実行するためのアプリケーションである。
次に、利用者は、チャージアプリケーションのメニューから金額指定を選択し、チャージ金額を指定する。
そして、金額受付部２１１は、チャージ金額の指定を受け付ける。
なお、利用者は、チャージ金額と共に、チャージされるデジタル通貨（電子マネーなどを含む）の種類を指定してもよい。金額受付部２１１は、チャージ金額と共に、デジタル通貨の種類の指定を受け付けてもよい。チャージ実行コード１０１は、チャージ金額と共にデジタル通貨の種類を表してもよい。
【００４９】
ステップＳ１１０は、モバイル端末２００によって実行される。
ステップＳ１１０において、コード取得部２１２は、チャージ実行コード１０１を取得する。
チャージ実行コード１０１は、指定されたチャージ金額とチャージ元口座識別子とを表す。
チャージ元口座識別子は、チャージ元口座を識別する。
チャージ元口座は、指定されたチャージ金額が引き落とされる口座である。
【００５０】
図６に基づいて、コード取得方法（Ｓ１１０）を説明する。
ステップＳ１１１は、モバイル端末２００によって実行される。
ステップＳ１１１において、コード取得部２１２は、チャージ金額を示すコード要求データを送信する。
【００５１】
コード取得部２１２は、コード要求データの送信を以下のように行う。
まず、コード取得部２１２は、チャージ金額情報と振替元特定情報とを含んだデータを生成する。生成されるデータがコード要求データである。
そして、コード取得部２１２は、通信機器２０４を介して、生成されたコード要求データをチャージ管理システム３００に送信する。
チャージ金額情報は、チャージ金額を示す。
振替元特定情報は、振替元口座を特定する情報である。具体的には、振替元特定情報は利用者識別子である。但し、振替元特定情報は利用者識別子以外の情報であってもよい。例えば、振替元特定情報は振替元口座識別子であってもよい。
振替元口座は、チャージ元口座にチャージ金額を移動するための口座である。
【００５２】
ステップＳ１１２は、チャージ管理システム３００によって実行される。
ステップＳ１１２において、コード要求受付部３１１は、通信機器３０４を介して、コード要求データを受信する。
【００５３】
ステップＳ１１３は、チャージ管理システム３００によって実行される。
ステップＳ１１３において、口座開設部３１２は、チャージ元口座を開設する。
【００５４】
口座開設部３１２は、チャージ元口座を以下のように開設する。
口座を管理するコンピュータシステムを金融システムと呼ぶ。
まず、口座開設部３１２は、開設要求データを金融システムに送信する。金融システムは開設要求データを受信する。
次に、金融システムは、開設要求データに従って口座開設処理を実行する。これにより、チャージ元口座が開設される。具体的には、チャージ元口座用の口座データが生成される。
そして、金融システムは、開設応答データをチャージ管理システム３００に送信する。口座開設部３１２は開設応答データを受信する。開設応答データはチャージ元口座識別子を含む。
【００５５】
ステップＳ１１４は、チャージ管理システム３００によって実行される。
ステップＳ１１４において、振替部３１３は、コード要求データに基づいて、チャージ金額を振替元口座からチャージ元口座に移動する。
【００５６】
振替部３１３は、チャージ金額の移動を以下のように行う。
記憶部３９０には、利用者管理テーブルが予め記憶されている。
利用者管理テーブルには、複数の利用者識別子と複数の指定口座識別子とが互いに対応付けられている。
まず、振替部３１３は、コード要求データから、チャージ金額情報と振替元特定情報とを抽出する。振替元特定情報は利用者識別子である。また、振替部３１３は、開設応答データから、チャージ元口座識別子を抽出する。
次に、振替部３１３は、利用者管理テーブルから、振替元特定情報と同じ利用者識別子に対応付けられた指定口座識別子を選択する。選択される指定口座識別子が振替元口座識別子である。
次に、振替部３１３は、振替要求データを金融システムに送信する。金融システムは振替要求データを受信する。振替要求データは、振替元口座識別子と振替先口座識別子（チャージ元口座識別子）と振替金額（チャージ金額）とを含む。
次に、金融システムは、振替要求データに従って振替処理を実行する。これにより、振替金額（チャージ金額）が振替元口座から振替先口座（チャージ元口座）に移動する。
そして、金融システムは、振替応答データをチャージ管理システム３００に送信する。振替部３１３は振替応答データを受信する。
【００５７】
ステップＳ１１５は、チャージ管理システム３００によって実行される。
ステップＳ１１５において、コード生成部３１４は、受信されたコード要求データに基づいて、チャージ実行コード１０１を生成する。
【００５８】
コード生成部３１４は、チャージ実行コード１０１を以下のように生成する。
まず、コード生成部３１４は、コード要求データから、チャージ金額情報を抽出する。また、コード生成部３１４は、開設応答データから、チャージ元口座識別子を抽出する。
そして、コード生成部３１４は、チャージ金額情報とチャージ元口座識別子とを表す二次元コードを生成する。生成される二次元コードがチャージ実行コード１０１である。
【００５９】
ステップＳ１１６は、チャージ管理システム３００によって実行される。
ステップＳ１１６において、コード応答部３１５は、生成されたチャージ実行コード１０１を含んだコード応答データを送信する。
【００６０】
コード応答部３１５は、コード応答データの送信を以下のように行う。
まず、コード応答部３１５は、チャージ実行コード１０１を含んだデータを生成する。生成されるデータがコード応答データである。
そして、コード応答部３１５は、通信機器３０４を介して、生成されたコード応答データをモバイル端末２００に送信する。
【００６１】
ステップＳ１１７は、モバイル端末２００によって実行される。
ステップＳ１１７において、コード取得部２１２は、通信機器２０４を介して、コード応答データを受信する。
そして、コード取得部２１２は、受信されたコード応答データから、チャージ実行コード１０１を抽出する。
【００６２】
ステップＳ１１１からステップＳ１１７により、コード取得部２１２は、チャージ実行コード１０１を取得する。
【００６３】
図５に戻り、ステップＳ１０２から説明を続ける。
ステップＳ１０２は、モバイル端末２００によって実行される。
ステップＳ１０２において、コード表示部２１３は、取得されたチャージ実行コード１０１をディスプレイ２０５に表示する。
【００６４】
チャージ実行コード１０１は以下のように表示される。
まず、利用者は、モバイル端末２００を持って、チャージ端末４００の設置場所に移動する。
次に、利用者は、モバイル端末２００を操作することによって、チャージアプリケーションを起動する。
次に、利用者は、チャージアプリケーションのメニューからコード表示を選択する。
そして、コード表示部２１３は、チャージ実行コード１０１をディスプレイ２０５に表示する。
【００６５】
ステップＳ１０３は、チャージ端末４００によって実行される。
ステップＳ１０３において、チャージ受付部４１１は、チャージ実行コード１０１の入力を受け付ける。
【００６６】
チャージ実行コード１０１の入力は以下のように受け付けられる。
ディスプレイ２０５に表示されたチャージ実行コード１０１は、一次元コードまたは二次元コードである。
まず、利用者は、チャージ実行コード１０１が表示されたディスプレイ２０５をコードリーダ４０６にかざす。
そして、チャージ受付部４１１は、コードリーダ４０６を介して、チャージ実行コード１０１を読み取る。つまり、チャージ受付部４１１は、チャージ実行コード１０１から、チャージ金額情報とチャージ元口座識別子とを抽出する。
【００６７】
ステップＳ１０４は、チャージ端末４００によって実行される。
ステップＳ１０４において、引き落とし部４１２は、入力されたチャージ実行コード１０１に基づいて、チャージ元口座からチャージ金額を引き落とす。
【００６８】
引き落とし部４１２は、チャージ金額の引き落としを以下のように行う。
まず、引き落とし部４１２は、引き落とし要求データを金融システムに送信する。金融システムは引き落とし要求データを受信する。引き落とし要求データは、チャージ金額情報とチャージ元口座識別子とを含む。
次に、金融システムは、引き落とし要求データに従って引き落とし処理を実行する。これにより、チャージ金額がチャージ元口座から運営口座に送金される。運営口座は、電子マネー運営会社の指定口座である。電子マネー運営会社は、電子マネーの運営を行う会社である。電子マネーは、スマートカード１０２にチャージされる電子的な通貨である。
そして、金融システムは、引き落とし応答データをチャージ端末４００に送信する。引き落とし部４１２は引き落とし応答データを受信する。
【００６９】
ステップＳ１０５は、チャージ端末４００によって実行される。
ステップＳ１０５において、チャージ部４１３は、入力されたチャージ実行コード１０１に基づいて、チャージ金額をスマートカード１０２にチャージする。
【００７０】
チャージは以下のように行われる。
カード管理システム４０７は、カード収納器を備える。カード収納器には、１枚以上の新規カードが収納されている。新規カードは、チャージされていないスマートカードである。
まず、チャージ部４１３は、チャージ実行コード１０１から、チャージ金額情報を抽出する。チャージ金額情報はチャージ金額を示す。
次に、チャージ部４１３は、チャージ金額をスマートカード１０２にチャージするためのチャージ命令をカード管理システム４０７に入力する。カード管理システム４０７は、入力されたチャージ命令を受け付ける。
次に、カード管理システム４０７は、カード収納器から１枚の新規カードを取り出す。取り出される新規カードがスマートカード１０２として使用される。
そして、カード管理システム４０７は、チャージ金額をスマートカード１０２にチャージする。
【００７１】
ステップＳ１０６は、チャージ端末４００によって実行される。チャージ端末４００は、カード送出口を有する。
ステップＳ１０６において、送出部４１４は、チャージ金額がチャージされたスマートカード１０２をカード送出口から送出する。
【００７２】
利用者は、チャージ端末４００から送出されたスマートカード１０２を受け取る。
そして、利用者は、受け取ったスマートカード１０２を使って、電子決済サービスを利用する。
【００７３】
＊＊＊実施例の説明＊＊＊
キャッシュレスチャージシステム１００は、例えば、海外から国内に訪れた外国人のために利用することができる。
【００７４】
図７から図１０に基づいて、外国人によるキャッシュレスチャージシステム１００の利用例を説明する。
キャッシュレスチャージシステム１００は、利用者端末と海外金融システムと国内金融システムとデジタル通貨金融システムとチャージ管理システム３００とを備える。
利用者端末は、外国人利用者が使用する端末である。利用者端末としてモバイル端末２００が使用されてもよい。
海外金融システムは、海外金融機関のコンピュータシステムであり、海外通貨用の預金口座を管理する。海外通貨は海外の法定通貨である。
国内金融システムは、国内金融機関のコンピュータシステムであり、国内通貨用の預金口座を管理する。国内通貨は国内の法定通貨である。
デジタル通貨金融システムは、国内金融機関のコンピュータシステムであり、デジタル通貨用の預金口座を管理する。デジタル通貨は電子的な通貨である。具体的には、デジタル通貨は、国内金融機関が発行する電子的な通貨である。
【００７５】
ステップＳ２０１において、外国人利用者は、チャージ管理会社に対して送金連絡を行う。
具体的には、外国人利用者が利用者端末を操作し、利用者端末が送金連絡データをチャージ管理システム３００に送信する。そして、チャージ管理システム３００が、送金連絡データを受信する。
送金連絡データは、送金者識別子、送金時期および送金額などの情報を含む。
送金識別子は、外国人利用者を識別する。
【００７６】
ステップＳ２０２において、外国人利用者は、海外金融機関に対して送金指示を行う。
具体的には、外国人利用者が利用者端末を操作し、利用者端末が送金指示データを海外金融システムに送信する。そして、海外金融システムが送金指示データを受信する。
送金指示データは、送金者識別子、送金元口座識別子、送金先口座識別子および送金額などの情報を含む。
送金元口座識別子は送金元口座を識別する。具体的には、送金元口座は、海外金融機関において外国人利用者用に開設された預金口座である。この預金口座を利用者海外口座と呼ぶ。利用者海外口座には、海外通貨の代わりに仮想通貨が預けられてもよい。
送金先口座識別子は送金先口座を識別する。具体的には、送金先口座は、国内金融機関においてチャージ管理会社用に開設された預金口座である。この預金口座を管理会社口座と呼ぶ。管理会社口座には、国内通貨の代わりに仮想通貨が預けられてもよい。
【００７７】
ステップＳ２０３において、海外金融機関は、送金指示に従って送金を行う。
具体的には、海外金融システムが、国内金融システムと通信することによって、送金処理を行う。これにより、利用者海外口座から管理会社口座に指定金額が送金される。
【００７８】
ステップＳ２０４において、チャージ管理会社は、連絡された送金時期に合わせて入金確認を行う。
具体的には、チャージ管理システム３００が、国内金融システムと通信することによって、管理会社口座への入金を確認する。
【００７９】
ステップＳ２０５において、チャージ管理会社は、デジタル通貨の種類別に両替可能な金額を外国人利用者に通知する。
具体的には、チャージ管理システム３００が、金額通知データを利用者端末に送信する。そして、利用者端末が金額通知データを受信する。
金額通知データは、金額一覧などを含む。金額一覧は、デジタル通貨の種類別に両替可能な金額を示す。
【００８０】
ステップＳ２０６において、外国人利用者は、チャージ管理会社に対して両替通貨を指定する。両替通貨は、１つ以上のデジタル通貨から選択されたデジタル通貨である。
具体的には、外国人利用者が利用者端末を操作し、利用者端末が通貨指定データをチャージ管理システム３００に送信する。そして、チャージ管理システム３００が、通貨指定データを受信する。
通貨指定データは、指定者識別子および両替通貨などの情報を含む。
指定者識別子は、外国人利用者を識別する。
【００８１】
ステップＳ２０７において、チャージ管理会社は、両替通貨口座の作成を国内金融機関に要求する。両替通貨口座は、両替通貨用の預金口座である。
具体的には、チャージ管理システム３００が、口座作成要求データをデジタル通貨金融システムに送信する。そして、デジタル通貨金融システムが、口座作成要求データを受信する。
口座作成要求データは、両替通貨などの情報を含む。
【００８２】
ステップＳ２０８において、国内金融機関は、両替通貨口座を作成し、両替通貨口座識別子をチャージ管理会社に通知する。
【００８３】
具体的には、以下のような処理が行われる。
まず、デジタル通貨金融システムが、両替通貨口座用の口座データを生成し、口座通知データをチャージ管理システム３００に送信する。そして、チャージ管理システム３００が口座通知データを受信する。
口座通知データは、両替通貨口座識別子などを含む。
【００８４】
次に、チャージ管理システム３００は、口座通知データから、両替通貨口座識別子を抽出する。また、チャージ管理システム３００は、通貨指定データから、指定者識別子を抽出する。
そして、チャージ管理システム３００は、指定者識別子と同じ利用者識別子に対応付けて、両替通貨口座識別子を利用者指定口座識別子として利用者管理テーブルに登録する。
利用者指定口座識別子は、振替元口座識別子に相当する。
【００８５】
ステップＳ２０９において、外国人利用者は、チャージ管理会社に対して送金指示を行う。
具体的には、外国人利用者が利用者端末を操作し、利用者端末が送金指示データをチャージ管理システム３００に送信する。そして、チャージ管理システム３００が送金指示データを受信する。
送金指示データは、送金者識別子および送金額などの情報を含む。
送金者識別子は、外国人利用者を識別する。
【００８６】
ステップＳ２１０において、チャージ管理会社は、国内金融機関に対して送金依頼を行う。
具体的には、以下のような処理が行われる。
まず、チャージ管理システム３００が、送金指示データから、送金者識別子と送金額とを抽出する。
次に、チャージ管理システム３００が、送金者識別子と同じ利用者識別子に対応付けられた利用者指定口座識別子を利用者管理テーブルから選択する。
次に、チャージ管理システム３００が、送金依頼データを国内金融システムに送信する。
そして、国内金融システムが送金依頼データを受信する。
送金依頼データは、管理会社口座識別子、利用者指定口座識別子および送金額などの情報を含む。
【００８７】
ステップＳ２１１において、国内金融機関は、送金指示に従って送金を行う。
具体的には、国内金融システムが、デジタル通貨金融システムと通信することによって、送金処理を行う。これにより、管理会社口座から利用者指定口座に指定金額が送金される。利用者指定口座は、振替元口座に相当する。
利用者指定口座のデジタル通貨は、電子マネー、地域通貨または別のデジタル通貨など、別の電子的な通貨に両替することが可能である。
【００８８】
ステップＳ２２１において、外国人利用者は、チャージ管理会社に対してチャージ実行コード１０１を要求する。
具体的には、外国人利用者がモバイル端末２００を操作し、モバイル端末２００がコード要求データをチャージ管理システム３００に送信する。そして、チャージ管理システム３００がコード要求データを受信する。
コード要求データは、要求者識別子およびチャージ金額などの情報を含む。
要求者識別子は、外国人利用者を識別する。
【００８９】
ステップＳ２２１は、ステップＳ１１１およびステップＳ１１２に相当する（図６参照）。
【００９０】
ステップＳ２２２において、チャージ管理会社は、テンポラリ口座の作成を国内金融機関に依頼する。テンポラリ口座は、チャージ元口座に相当する。
具体的には、チャージ管理システム３００が、口座作成依頼データをデジタル通貨金融システムに送信する。そして、デジタル通貨金融システムが口座作成依頼データを受信する。
【００９１】
ステップＳ２２３において、国内金融機関は、テンポラリ口座を作成し、テンポラリ口座識別子をチャージ管理会社に通知する。
具体的には、以下のような処理が行われる。
まず、デジタル通貨金融システムが、テンポラリ口座用の口座データを生成し、口座通知データをチャージ管理システム３００に送信する。そして、チャージ管理システム３００が口座通知データを受信する。
口座通知データは、テンポラリ口座識別子などを含む。
【００９２】
次に、チャージ管理システム３００が、口座通知データから、テンポラリ口座識別子を抽出する。また、チャージ管理システム３００は、コード要求データから、要求者識別子を抽出する。
そして、チャージ管理システム３００が、要求者識別子と同じ利用者識別子に対応付けて、テンポラリ口座識別子を利用者管理テーブルに登録する。
【００９３】
ステップＳ２２２およびステップＳ２２３は、図６のステップＳ１１３に相当する。
【００９４】
ステップＳ２２４において、チャージ管理会社は、利用者指定口座からテンポラリ口座へのチャージ金額の振替を国内金融機関に依頼する。
具体的には、以下のような処理が行われる。
まず、チャージ管理システム３００が、コード要求データから、要求者識別子とチャージ金額とを抽出する。
次に、チャージ管理システム３００が、要求者識別子と同じ利用者識別子に対応付けられた利用者指定口座識別子を利用者管理テーブルから選択する。また、チャージ管理システム３００が、要求者識別子と同じ利用者識別子に対応付けられたテンポラリ口座識別子を利用者管理テーブルから選択する。
次に、チャージ管理システム３００が、振替依頼データをデジタル通貨金融システムに送信する。
そして、デジタル通貨金融システムが振替依頼データを受信する。
振替依頼データは、利用者指定口座識別子、テンポラリ口座識別子およびチャージ金額などの情報を含む。
【００９５】
ステップＳ２２５において、国内金融機関は、チャージ金額分のデジタル通貨を利用者指定口座からテンポラリ口座に移動し、振替の完了をチャージ管理会社に通知する。
具体的には、デジタル通貨金融システムが振替処理を行う。これにより、チャージ金額分のデジタル通貨が利用者指定口座からテンポラリ口座に移動する。そして、デジタル通貨金融システムが完了通知データを送信し、チャージ管理システム３００が完了通知データを受信する。
【００９６】
ステップＳ２２４およびステップＳ２２５は、図６のステップＳ１１４に相当する。
【００９７】
ステップＳ２２６において、チャージ管理会社は、チャージ実行コード１０１を生成する。
具体的には、チャージ管理システム３００がチャージ実行コード１０１を生成する。
【００９８】
ステップＳ２２６は、図６のステップＳ１１５に相当する。
【００９９】
ステップＳ２２７において、チャージ管理会社は、外国人利用者に対してチャージ実行コード１０１を応答する。
具体的には、チャージ管理システム３００が、コード応答データをモバイル端末２００に送信する。モバイル端末２００はコード応答データを受信する。
【０１００】
ステップＳ２２７は、ステップＳ１１６およびステップＳ１１７に相当する（図６参照）。
【０１０１】
ステップＳ２３１において、外国人利用者は、モバイル端末２００のディスプレイ２０５にチャージ実行コード１０１を表示させる。
具体的には、外国人利用者がモバイル端末２００を操作し、モバイル端末２００がチャージ実行コード１０１をディスプレイ２０５に表示する。
ステップＳ２３１は、図５のステップＳ１０２に相当する。
【０１０２】
ステップＳ２３２において、外国人利用者は、チャージ端末４００のコードリーダ４０６にモバイル端末２００のディスプレイ２０５をかざす。
そして、チャージ端末４００が、コードリーダ４０６を介してチャージ実行コード１０１を読み取る。
ステップＳ２３２は、図５のステップＳ１０３に相当する。
【０１０３】
ステップＳ２３３において、チャージ端末４００は、チャージ実行コード１０１を読み込み、チャージ済みのスマートカード１０２を送出する。
テンポラリ口座から電子マネー運営会社の運営口座への送金は、リアルタイム処理で行われてもよいし、バッチ処理で行われてもよい。なお、ブロックチェーン技術により、二重払い問題を解決することが可能である。
テンポラリ口座は、このタイミングで閉鎖されてもよいし、一定期間が経過した後に閉鎖されてもよい。テンポラリ口座を一定期間開設しておく場合、テンポラリ口座を利用して複数回のチャージが行われることが想定される。
ステップＳ２３３は、ステップＳ１０４からステップＳ１０６に相当する（図５参照）。
【０１０４】
２回目以降のチャージは、小売店等の店舗で行うことが可能である。
店舗には、店舗端末が設置されている。店舗端末には、コードリーダと読み取り機（カードリードライタ）が接続されている。
ステップＳ２２１からステップＳ２２７の手順（図８参照）により、外国人利用者は、新たなチャージ実行コード１０１を取得する。
ステップＳ２３１により、外国人利用者は、新たなチャージ実行コード１０１をモバイル端末２００のディスプレイ２０５に表示させる。
ステップＳ２３２により、外国人利用者は、モバイル端末２００のディスプレイ２０５を店舗のコードリーダにかざす。
ステップＳ２３４において、外国人利用者は、店舗の読み取り機にスマートカード１０２をかざす。
そして、店舗端末が、新たなチャージ実行コード１０１を読み取り、スマートカード１０２に対するチャージを行う。
【０１０５】
外国人利用者が帰国するときに利用者指定口座にデジタル通貨が残っている場合、外国人利用者は、残ったデジタル通貨に相当する金額の海外通貨を利用者海外口座に戻すことが可能である。
ステップＳ２４１において、外国人利用者は、チャージ管理会社に対して返金指示を行う。
具体的には、外国人利用者がモバイル端末２００を操作し、モバイル端末２００が返金指示データをチャージ管理システム３００に送信する。そして、チャージ管理システム３００が返金指示データを受信する。
返金指示データは、依頼者識別子および利用者海外口座識別子などを含む。
依頼者識別子は、外国人利用者を識別する。
【０１０６】
ステップＳ２４２において、チャージ管理会社は、国内金融機関に対してデジタル通貨の返金を依頼する。
具体的には、以下のような処理が行われる。
まず、チャージ管理システム３００が、返金指示データから、依頼者識別子を抽出する。
次に、チャージ管理システム３００が、依頼者識別子と同じ利用者識別子に対応付けられた利用者指定口座識別子を利用者管理テーブルから選択する。
次に、チャージ管理システム３００が、返金依頼データをデジタル通貨金融システムに送信する。
そして、デジタル通貨金融システムが返金依頼データを受信する。
返金依頼データは、利用者指定口座識別子と管理会社口座識別子とを含む。
【０１０７】
ステップＳ２４３において、国内金融機関は、利用者指定口座から管理会社口座への返金を行う。
具体的には、デジタル通貨金融システムが、国内金融システムと通信することによって、返金処理を行う。これにより、利用者指定口座から残りのデジタル通貨が引き出され、引き出されたデジタル通貨の金額に相当する国内通貨が管理会社口座に振り込まれる。
【０１０８】
ステップＳ２４４において、国内金融機関は、返金額をチャージ管理会社に通知する。
具体的には、デジタル通貨金融システムが、金額通知データをチャージ管理システム３００に送信する。そして、チャージ管理システム３００が金額通知データを受信する。
金額通知データは、返金額を示す情報を含む。具体的には、返金額は、管理会社口座に振り込まれた国内通貨の金額である。
【０１０９】
ステップＳ２４５において、チャージ管理会社は、国内金融機関に対して国内通貨の返金を指示する。
具体的には、以下のような処理が行われる。
まず、チャージ管理システム３００が、金額通知データから、返金額を抽出する。また、チャージ管理システム３００が、返金指示データから、利用者海外口座識別子を抽出する。
次に、チャージ管理システム３００が、返金依頼データを国内金融システムに送信する。
そして、国内金融システムが返金依頼データを受信する。
返金依頼データは、管理会社口座識別子、利用者海外口座識別子および返金額などの情報を含む。
【０１１０】
ステップＳ２４６において、国内金融機関は、管理会社口座から利用者海外口座への返金を行う。
具体的には、国内金融システムが、海外金融システムと通信することによって、返金処理を行う。これにより、管理会社口座から返金額分の国内通貨が引き出され、返金額分の海外通貨が利用者海外口座に振り込まれる。
【０１１１】
＊＊＊他の構成＊＊＊
チャージ実行コード１０１は、一次元コードと二次元コードとは異なる形式のコードであってもよい。例えば、チャージ実行コード１０１は文字列であってもよい。文字列は１つ以上の文字、１つ以上の数字、１つ以上の記号またはこれらの組み合わせである。
チャージ実行コード１０１が文字列である場合、利用者は、モバイル端末２００のディスプレイ２０５に表示されたチャージ実行コード１０１を参照し、チャージ実行コード１０１として示される文字列をチャージ端末４００に入力する。
【０１１２】
モバイル端末２００のコード取得部２１２がチャージ実行コード１０１を生成してもよい。この場合、チャージ管理システム３００のコード生成部３１４は不要である。
チャージ管理システム３００のコード応答部３１５は、チャージ元口座識別子を含んだコート応答データを送信する。
モバイル端末２００のコード取得部２１２は、コード応答データを受信し、コード応答データからチャージ元口座識別子を抽出し、チャージ金額とチャージ元口座識別子とを表すチャージ実行コード１０１を生成する。
【０１１３】
利用者は、配布場所で受け取る等によって、未チャージのスマートカード１０２を事前に手に入れてもよい。
例えば、利用者は、未チャージのスマートカード１０２をチャージ端末４００の挿入口に挿入する。チャージ端末４００は、挿入されたスマートカード１０２にチャージを行い、チャージ後のスマートカード１０２を挿入口（送出口）から送出する。
例えば、チャージ端末４００がカードリードライタを備える。利用者は、未チャージのスマートカード１０２をチャージ端末４００のカードリードライタにかざす。そして、チャージ端末４００は、カードリードライタを介して、スマートカード１０２にチャージを行う。
【０１１４】
預金口座（振替元口座）とチャージ用口座（チャージ元口座）との２つの口座が用いられなくてもよい。つまり、預金口座がチャージ用口座として用いられてもよい。その場合、口座開設部３１２および振替部３１３は不要である。
但し、預金口座からチャージ用口座にチャージ金額を移動してチャージ用口座にチャージ金額を確保しておくことにより、預金不足のためにチャージが行えない、ということを防ぐことができる。
【０１１５】
＊＊＊実施の形態１の効果＊＊＊
現金を使わずに容易にスマートカードにチャージを行うことが可能なシステムを提供することができる。
例えば、外国人旅行者は、現金を使わずに、チャージ済みの交通系ＩＣカードを容易に手に入れることができる。外国通貨を日本通貨に両替した後に日本通貨の現金を使って交通系ＩＣカードにチャージを行う、という必要がないため、外国人旅行者は、時間および費用を節約することができる。現金の輸送、保管および管理が不要であるため、現金の盗難リスクもない。したがって、外国人旅行者の利便性が向上する。その結果、外国人旅行者の増加およびインバウンド消費の増加が促進され、インバウンド需要の取り込み効果を期待することができる。
【０１１６】
＊＊＊実施の形態の補足＊＊＊
実施の形態は、好ましい形態の例示であり、本発明の技術的範囲を制限することを意図するものではない。実施の形態は、部分的に実施してもよいし、他の形態と組み合わせて実施してもよい。フローチャート等を用いて説明した手順は、適宜に変更してもよい。
【符号の説明】
【０１１７】
１００  キャッシュレスチャージシステム、１０１  チャージ実行コード、１０２  スマートカード、１０９  ネットワーク、２００  モバイル端末、２０１  プロセッサ、２０２  メモリ、２０３  補助記憶装置、２０４  通信機器、２０５  ディスプレイ、２１１  金額受付部、２１２  コード取得部、２１３  コード表示部、２９０  記憶部、３００  チャージ管理システム、３０１  プロセッサ、３０２  メモリ、３０３  補助記憶装置、３０４  通信機器、３１１  コード要求受付部、３１２  口座開設部、３１３  振替部、３１４  コード生成部、３１５  コード応答部、３９０  記憶部、４００  チャージ端末、４０１  プロセッサ、４０２  メモリ、４０３  補助記憶装置、４０４  通信機器、４０５  ディスプレイ、４０６  コードリーダ、４０７  カード管理システム、４１１  チャージ受付部、４１２  引き落とし部、４１３  チャージ部、４１４  送出部、４９０  記憶部。
【図１】
2020047124.tif 000003
【図２】
2020047124.tif 000004
【図３】
2020047124.tif 000005
【図４】
2020047124.tif 000006
【図５】
2020047124.tif 000007
【図６】
2020047124.tif 000008
【図７】
2020047124.tif 000009
【図８】
2020047124.tif 000010
【図９】
2020047124.tif 000011
【図１０】
2020047124.tif 000012
【手続補正書】
【提出日】令和2年1月10日(2020.1.10)
【手続補正２】
【補正対象書類名】特許請求の範囲
【補正対象項目名】全文
【補正方法】変更
【補正の内容】
【特許請求の範囲】
【請求項１】
スマートカードにチャージされるチャージ金額と、前記チャージ金額が引き落とされるチャージ元口座に前記チャージ金額を移動するための振替元口座を特定する振替元特定情報と、を示すコード要求データを受信するコード要求受付部と、
受信されたコード要求データに基づいて、前記チャージ金額を前記振替元口座から前記チャージ元口座に移動する振替部と、
受信されたコード要求データに基づいて、前記チャージ金額と、前記チャージ元口座を識別するチャージ元口座識別子と、を表すチャージ実行コードを生成するコード生成部と、
生成されたチャージ実行コードを含んだコード応答データを送信するコード応答部と
を備えるチャージ管理システム。
【請求項２】
モバイル端末が、
スマートカードにチャージされるチャージ金額の指定を受け付け、
前記チャージ金額と、前記チャージ金額が引き落とされるチャージ元口座に前記チャージ金額を移動するための振替元口座を特定する振替元特定情報と、を示すコード要求データを送信し、
チャージ管理システムが、
前記コード要求データを受信し、
前記コード要求データに基づいて、前記チャージ金額を前記振替元口座から前記チャージ元口座に移動し、
前記コード要求データに基づいて、前記チャージ金額と、前記チャージ元口座を識別するチャージ元口座識別子と、を表すチャージ実行コードを生成し、
前記チャージ実行コードを含んだコード応答データを送信し、
前記モバイル端末が、
前記コード応答データを受信し、
前記コード応答データに含まれる前記チャージ実行コードをディスプレイに表示し、
チャージ端末が、
前記チャージ実行コードの入力を受け付け、
前記チャージ元口座から前記チャージ金額を引き落とし、
前記チャージ金額をスマートカードにチャージし、
前記チャージ金額がチャージされたスマートカードをカード送出口から送出する
キャッシュレスチャージ方法。
【請求項３】
前記チャージ実行コードが、一次元コードまたは二次元コードであり、
前記チャージ端末が、前記モバイル端末の前記ディスプレイがコードリーダにかざされた場合に前記コードリーダを介して前記チャージ実行コードを読み取る
請求項２に記載のキャッシュレスチャージ方法。